(57)【要約】【課題】  大容量な記憶手段に記憶された複数の電子情報における属性情報をプリントタグとして有形的に生成し、当該プリントタグを読み取り手段により読み取ることにより、所望の電子情報の再生を行うことを可能とする。【解決手段】  電子情報を記憶する記憶手段３と、記憶手段３から所望の電子情報を読み出して再生する再生手段４と、記憶手段３に記憶された電子情報における属性情報を図形、数字、文字、記号から選択的に生成された非電子情報に変換する属性情報変換手段５と、属性情報変換手段５から出力された非電子情報を印刷し、プリントタグを生成する印刷手段６と、印刷手段６により印刷された非電子情報を電子情報に復元するための属性情報読み取り手段８と、属性情報読み取り手段８からの出力を認識する属性情報認識手段９とを具備し、属性情報認識手段９からの出力に応じて、当該出力に応じた電子情報を再生する。【選択図】  図１
2009015940.tif 000002
【特許請求の範囲】
【請求項１】
映像及び／又は音声の電子情報を記憶する記憶手段と、
前記記憶手段から所望の前記電子情報を読み出して再生する再生手段と、
前記記憶手段に記憶された前記電子情報における属性情報を図形、数字、文字、記号から選択的に生成された非電子情報に変換する属性情報変換手段と、
前記属性情報変換手段から出力された前記非電子情報を印刷し、プリントタグを生成する印刷手段と、
前記印刷手段により印刷された前記非電子情報を前記電子情報に復元するための属性情報読み取り手段と、
前記属性情報読み取り手段からの出力を認識する属性情報認識手段と
を具備し、
前記属性情報認識手段からの出力に応じて、前記記憶手段から当該出力に応じた前記電子情報を前記再生手段により読み出して再生する
ことを特徴とするプリントタグを用いた電子情報の再生管理システム。
【請求項２】
前記属性情報読み取り手段と前記属性情報認識手段は無線通信される
ことを特徴とする請求項１に記載のプリントタグを用いた電子情報の再生管理システム。
【請求項３】
前記プリントタグとは、２次元バーコード、３次元バーコード、或いは、ＱＲコードが選択的に印刷されたものである
ことを特徴とする請求項１または請求項２に記載のプリントタグを用いた電子情報の再生管理システム。
【発明の詳細な説明】
【技術分野】
【０００１】
本発明は、デジタル方式の情報記録再生システム（例えば、コンピューター、ハードディスク録画再生装置、光ディスク録画再生装置、デジタルカメラ、デジタルビデオカメラなど）に関し、特に、当該システムに備えた記憶手段に記憶された映像及び／又は音声の電子情報における属性情報をプリントタグとして生成し、当該プリントタグを読み取り手段により読み取ることにより、所望の電子情報の再生を行うことが可能なプリントタグを用いた電子情報の再生管理システムに関する。
【背景技術】
【０００２】
従来のデジタル方式の情報記録再生装置、例えばハードディスク録画再生装置においては、内蔵された記憶媒体（ハードディスク）に、数百時間分のファイル（コンテンツ）が記録可能である。したがって、記憶されるファイル数も膨大なものとなり、その管理手法が重要視されていた。
【０００３】
そして、このような管理手法のひとつとして、例えば、モニター上に、録画番組一覧表を表示し、そこから利用者がモニター上において選択するというものが実用化されている（例えば、特許文献１）。
【０００４】
【特許文献１】特開２００６−１７３７６６号公報
【０００５】
このようないわゆるＧＵＩ（Graphical User Interface）によるファイル管理では、モニター上に表示できる録画番組の情報量には一定の限界があり、そのため、所望の録画番組を探し出すことが非常に煩わしいものであった。
【０００６】
また、ＧＵＩによりモニター上に表示された録画番組一覧表は、その画面デザイン、整理方法、操作方法が限定されてしまうため、利用者それぞれの要望に沿った状態で、ファイル管理することが困難であった。
【０００７】
更に、従前のビデオテープカセットのような有形媒体を利用することに比して、大容量のハードディスクに複数のファイルを記憶管理する場合には、各ファイルを物理的（視覚的）に利用者自らが手に取ることがないため、とりわけ高齢者にとっては、概念的に理解しにくいものであった。
【発明の開示】
【発明が解決しようとする課題】
【０００８】
本発明は、上述のような課題を解決する為になされたものであり、大容量な記憶手段に記憶された映像及び／又は音声の複数の電子情報における属性情報をプリントタグとして有形的に生成し、当該プリントタグを読み取り手段により読み取ることにより、所望の電子情報の再生を行うことが可能なプリントタグを用いた電子情報の再生管理システムを得るものである。
【課題を解決するための手段】
【０００９】
本発明は、上記の課題を解決する為になされたものであり、請求項１に記載の発明は、映像及び／又は音声の電子情報を記憶する記憶手段と、前記記憶手段から所望の前記電子情報を読み出して再生する再生手段と、前記記憶手段に記憶された前記電子情報における属性情報を図形、数字、文字、記号から選択的に生成された非電子情報に変換する属性情報変換手段と、前記属性情報変換手段から出力された前記非電子情報を印刷し、プリントタグを生成する印刷手段と、前記印刷手段により印刷された前記非電子情報を前記電子情報に復元するための属性情報読み取り手段と、前記属性情報読み取り手段からの出力を認識する属性情報認識手段とを具備し、前記属性情報認識手段からの出力に応じて、前記記憶手段から当該出力に応じた前記電子情報を前記再生手段により読み出して再生することを特徴とする。
【００１０】
請求項２に記載の発明は、請求項１に記載のプリントタグを用いた電子情報の再生管理システムにおいて、前記属性情報読み取り手段と前記属性情報認識手段は無線通信されることを特徴とする。
【００１１】
請求項３に記載の発明は、請求項１または請求項２に記載のプリントタグを用いた電子情報の再生管理システムにおいて、前記プリントタグとは、２次元バーコード、３次元バーコード、或いは、ＱＲコードが選択的に印刷されたものであることを特徴とする。
【発明の効果】
【００１２】
本発明は、上記の構成としたことにより、以下の効果を奏する。
【００１３】
請求項１の発明によれば、大容量の記録媒体に格納された膨大なファイル（コンテンツ）から、所望のファイルを選択して再生する際に、ＧＵＩにより生成（表示）された録画番組一覧表を通じて行うファイル検索作業という煩わしさを不要とし、利用者が思い通りにファイリングしたプリントタグを有形的に手に取り、属性情報読み取り手段により読み取ることにより、再生が可能となる。
【００１４】
したがって、特に高齢者にとっては、ＧＵＩという馴染みのない手法に頼らず、有形媒体（プリントタグ）により所望のファイル再生を行うことができる。
【００１５】
膨大なファイルをプリントタグにより管理できるため、利用者は、ＧＵＩのように、予め設定されたソフトウエアに制限されることなく、自己の思い通りに、例えば、プリントタグをスクラップにして保管するなど、ファイルの整理方法の自由度が広がる。
【００１６】
請求項２の発明によれば、属性情報読み取り手段と属性情報認識手段は無線通信されるため、利用者は手元のプリントタグを属性情報読み取り手段により読み取れば、所望のファイルの再生を遠隔操作で行うことができる。
【００１７】
請求項３の発明によれば、市場に流通しているバーコードリーダを流用できるため、専用の読み取り手段が不要である。
【発明を実施するための最良の形態】
【００１８】
実施の形態１．
図１は、本発明を実施する為の実施の形態１におけるプリントタグを用いた電子情報の再生管理システムの要部構成図である。
【００１９】
図１において、１はプリントタグを用いた電子情報の再生管理システム（以下、システム１と称す）である。２はシステム１の一構成要素であるデジタル方式の情報記録再生装置である。情報記録再生装置２は、映像及び／又は音声を記録可能な記憶手段３、記憶手段３に記憶された映像及び／又は音声のデータ（以下、電子情報と称す）を再生するための再生手段４を備えてなり、例えば、パーソナルコンピュータ、ハードディスク録画再生装置、光ディスク録画再生装置、デジタルカメラ、デジタルビデオカメラなどである。
【００２０】
記憶手段３としては、大容量のハードディスク、光ディスク、フラッシュメモリなどが好適である。そして、このような大容量の記憶手段３には、例えば、数百時間にも及ぶ動画（例えば、テレビ番組）が記録可能である。すなわち、膨大なファイル（例えば、数百種にも及ぶテレビ番組）が記録可能である。
【００２１】
５は属性情報変換手段であり、記憶手段３に記憶された電子情報（ファイル）の属性情報、例えば、番組名、放送チャンネル、放送日時、記録アドレスなどの情報をバーコード情報ないし文字情報に変換する機能を有する。
【００２２】
６は印刷手段（いわゆるプリンター）であり、属性情報変換手段５により生成された属性情報（バーコード情報ないし文字情報）を用紙に印刷する機能を有す。そして、このように印刷された用紙を、本実施形態ではプリントタグ７と呼ぶ。
【００２３】
８は属性情報読み取り手段（いわゆるバーコードリーダ）であり、利用者が見たい番組に相当するプリントタグ７に印刷されたバーコード情報を読み取るものである。
【００２４】
９は属性情報認識手段であり、属性情報読み取り手段８からの出力信号に基づいて、再生手段４を制御し、所望のファイルを再生させるものである。
【００２５】
なお、本実施の形態においては、情報記録再生装置２と印刷手段６とを別体とし、有線（コード）接続としたが、これに限らず、無線接続（通信）としても良く、また、情報記録再生装置２に印刷手段６を内蔵した構成でも良い。
【００２６】
更に、その他の各構成要素についても、有線接続か無線接続かは限定されるものではなく、必要に応じて、適宜システム設計すれば良い。
【００２７】
なお、属性情報読み取り手段８と属性情報認識手段９との通信は、無線によることが望ましい。なぜなら、当該通信を無線にすることにより、利用者は手元のプリントタグ７を属性情報読み取り手段８により読み取れば、所望のファイルの再生を遠隔操作で行うことができるからである。
【００２８】
以下、システム１の利用方法について説明する。
【００２９】
利用者は、従来より実用化されている各種情報記録再生装置（例えば、パーソナルコンピュータ、ハードディスク録画再生装置、光ディスク録画再生装置、デジタルカメラ、デジタルビデオカメラなど）にて所望の電子情報を記録（録画ないし録音）するが如く、情報記録再生装置１を操作し、記憶手段３に電子情報（コンテンツ）を記憶せしめる。
【００３０】
所望の電子情報の記録が完了すれば、自動ないし手動にて、当該電子情報の属性情報を属性情報変換手段５により、バーコード情報ないし文字情報などの非電子情報に変換し、印刷手段６により、プリントタグ７を生成する。
【００３１】
このように生成されたプリントタグは、電子情報ごと（コンテンツごと）に存在し、その枚数は膨大なものとなる。
【００３２】
利用者は、このような膨大なプリントタグを自己が管理しやすい方法により、管理することができる。例えば、ジャンルごとに仕分けして、スクラップにしてもよく、或いは、テレビの筐体等に貼り付けておいても良い。
【００３３】
利用者が所望の電子情報を再生したい場合には、自己が見やすいように保管しているプリントタグ群から所望のプリントタグを探し出し、属性情報読み取り手段８を用いて、属性情報を読み取れば良い。この際、上述した通り、属性情報読み取り手段８と属性情報認識手段９との信号のやり取りを無線とすることにより、利用者は、ソファー等に座りながらでも、手元で所望の電子情報の再生を行うことができる。
【００３４】
なお、プリントタグ７に印刷される非電子情報は、バーコードや文字情報に限らず、数字、記号、図形など視覚的に認識可能なものであれば、特に限定されない。もっとも、バーコード（２次元バーコード、３次元バーコード、或いは、ＱＲコード）とすることにより、市販のバーコードリーダを流用できる。
【００３５】
以上に説明したシステム１では、電子情報の属性情報が非電子情報として印刷されたプリントタグ７を読み取る操作で、所望の電子情報を再生することができる。したがって、従来より実用化されていたＧＵＩを通じたファイル（コンテンツ）検索が不要となる。
【００３６】
特に、高齢者にとってみれば、馴染みのないＧＵＩに換えて、有形媒体であるプリントタグ７を手にとって再生操作を行うことができるため、ビデオテープを手に取るが如く、非常に馴染みやすく、使い勝手の良いものとなる。
【図面の簡単な説明】
【００３７】
【図１】本発明を実施する為の実施の形態１におけるプリントタグを用いた電子情報の再生管理システムの要部構成図である。
【符号の説明】
【００３８】
１  プリントタグを用いた電子情報の再生管理システム。
３  記憶手段
４  再生手段
５  属性情報変換手段
６  印刷手段
７  プリントタグ
８  属性情報読み取り手段
９  属性情報認識手段
【図１】
2009015940.tif 000003